(57)【特許請求の範囲】
【請求項１】
印画紙に画像を露光するための露光手段と、
前記印画紙を、前記露光手段による露光位置に位置させるように搬送する搬送手段とが設けられた画像プリント装置であって、
前記露光位置において前記露光手段に対する前記印画紙の存在位置を規制するために、前記印画紙の感光面と反対側の面を支持する印画紙受け部材が設けられ、
前記搬送手段は、前記印画紙を挟持搬送するために、印画紙搬送方向における前記露光位置の両側に配置された挟持ローラを有し、
前記挟持ローラの各々を構成する互いに当接する２つのローラの接線方向は前記印画紙受け部材の印画紙受け面から傾斜しており、
前記傾斜のために、前記挟持ローラによって送り出される前記印画紙は、前記印画紙受け面に当て付けられ、前記印画紙受け面にて向きを変えられ、前記印画紙受け面に押し付けられた状態で移動するように構成されている画像プリント装置。
【請求項２】
前記印画紙受け面は平面状に形成されている請求項１記載の画像プリント装置。
【請求項３】
前記露光手段は、印画紙搬送方向と交差する方向において画像の全幅で且つ印画紙搬送方向において画像の幅の一部について、画像を画素毎に露光量を設定した状態で前記印画紙を露光するように構成されている請求項１又は２記載の画像プリント装置。
【請求項４】
前記搬送手段は、
前記各挟持ローラにおける前記印画紙を挟持する位置が、前記印画紙受け部材における印画紙受け面に近接する状態で配置され、
前記各挟持ローラの印画紙搬送方向両側における前記印画紙の搬送姿勢が略直線状となるように、前記印画紙を案内するように構成されている請求項１記載の画像プリント装置。
【請求項５】
印画紙に画像を露光するための露光手段と、
前記印画紙を、前記露光手段による露光位置に位置させるように搬送する搬送手段とが設けられた画像プリント装置であって、
前記露光位置において前記露光手段に対する前記印画紙の存在位置を規制するために、前記印画紙の感光面と反対側の面を支持する印画紙受け部材が設けられ、
前記搬送手段は、前記印画紙を挟持搬送するために、印画紙搬送方向における前記露光位置の両側に配置された挟持ローラを有し、
前記印画紙受け部材の印画紙受け面の前記挟持ローラの軸芯に沿った方向視での形状は、前記露光手段側に円の中心を有する円弧状であり、
前記挟持ローラの各々を構成する互いに当接する２つのローラの接線方向は印画紙搬送方向から傾斜しており、
前記傾斜のために、前記挟持ローラによって送り出される前記印画紙は、前記印画紙受け面に沿って円弧状に移動するように構成されている画像プリント装置。
【発明の詳細な説明】
【０００１】
【発明の属する技術分野】
本発明は、印画紙に画像を露光するための露光手段と、前記印画紙を、前記露光手段による露光位置に位置させるように搬送する搬送手段とが設けられた画像プリント装置に関する。
【０００２】
【従来の技術】
かかる画像プリント装置は、露光手段にて印画紙に画像を露光して、印画紙に画像を形成する装置であり、その後に現像処理することによってプリントとして完成する。
上記露光手段による露光に際しては、印画紙に画像を適正に露光するために、露光手段に対する接近離間方向において印画紙を適正に位置させる必要がある。
従来、この印画紙の位置の規制のために、露光手段による露光位置に備えられている印画紙の搬送ガイドの上記接近離間方向における通過幅を十分に狭くして、案内される印画紙が露光手段に対する接近離間方向に移動するのを抑制する技術が考えられている。
【０００３】
【発明が解決しようとする課題】
しかしながら、上記従来構成では、搬送ガイドの上記接近離間方向における通過幅を十分に狭くしたとしても、印画紙の上記接近離間方向での位置変動の抑制が十分ではなく改善が求められていた。
本発明は、上記実情に鑑みてなされたものであって、その目的は、露光手段による露光位置における印画紙の位置を的確に規制する点にある。
【０００４】
【課題を解決するための手段】
本発明の第１の特徴構成は、
印画紙に画像を露光するための露光手段と、
前記印画紙を、前記露光手段による露光位置に位置させるように搬送する搬送手段とが設けられた画像プリント装置であって、
前記露光位置において前記露光手段に対する前記印画紙の存在位置を規制するために、前記印画紙の感光面と反対側の面を支持する印画紙受け部材が設けられ、
前記搬送手段は、前記印画紙を挟持搬送するために、印画紙搬送方向における前記露光位置の両側に配置された挟持ローラを有し、
前記挟持ローラの各々を構成する互いに当接する２つのローラの接線方向は前記印画紙受け部材の印画紙受け面から傾斜しており、
前記傾斜のために、前記挟持ローラによって送り出される前記印画紙は、前記印画紙受け面に当て付けられ、前記印画紙受け面にて向きを変えられ、前記印画紙受け面に押し付けられた状態で移動するように構成されている点にある。
すなわち、印画紙は一般にある程度の厚みを有するので、印画紙が印画紙受け部材に押し付けられるように、挟持ローラを傾けて配置するという簡素な構成で印画紙の進路を変更することができ、その結果、印画紙が、印画紙受け部材が存在しない場合の姿勢に復帰しようとする力によって印画紙受け部材に密着するものとなり、露光手段による露光位置における印画紙の位置を的確に規制できるに至った。
さらに、挟持ローラが、印画紙搬送方向における露光位置の両側に配置されているので、両側の挟持ローラの共同作業により一層確実に印画紙を印画紙受け部材に押し付けることができ、より安定的に印画紙の位置を規制できると共に、印画紙の搬送方向前後両端まで確実に印画紙受け部材に押し付けることが可能となる。
【０００５】
又、印画紙受け部材は、印画紙の感光面と反対側の面を支持する。
従って、印画紙受け部材にて印画紙の感光面側を支持したのでは、押圧力によって感光面を損傷して、印画紙に形成した画像の劣化を引き起こす畏れがあるのに対して、感光面と反対側の面を支持することで、そのような事態を回避できる。
【０００６】
又、本発明の第３の特徴構成は、前記露光手段は、印画紙搬送方向と交差する方向において画像の全幅で且つ印画紙搬送方向において画像の幅の一部について、画像を画素毎に露光量を設定した状態で印画紙を露光するように構成されている点にある。
つまり、印画紙に一つの画像を露光するについて、その画像を印画紙搬送方向に複数の領域に分割し、分割した領域毎に順次露光して、印画紙に一つの画像を形成するのである。
露光手段をこのような構成とすると、少なくとも露光位置において印画紙搬送方向で露光手段に占有される幅が小さくなるため、上述のように印画紙を印画紙受け部材に押し付ける幅をも狭くでき、より安定的に印画紙の位置を規制することができる。
【０００９】
又、本発明の第４の特徴構成は、各挟持ローラにおける印画紙を挟持する位置が、印画紙受け部材における印画紙受け面に近接する状態で配置され、各挟持ローラの印画紙搬送方向両側における印画紙の搬送姿勢が略直線状となるように、印画紙を案内するように構成されている点にある。
従って、印画紙の進路を挟持ローラにて変更するものとしても、露光手段の設置個所における印画紙の搬送経路は全体として略直線状となって、印画紙の搬送経路が複雑化するのを回避できる。
【００１０】
【発明の実施の形態】
本発明の画像プリント装置の実施の形態を図面に基づいて説明する。
図１に概略ブロック図を示す画像プリント装置ＩＰはデジタル露光式を採用しており、ここでは図示されていないフィルム現像機によって現像処理された写真フィルム（以後単にフィルムと称す）１のコマ画像をデジタル画像データとして取得するフィルムスキャナー３と、取得されたデジタル画像データを処理してプリントデータを作成するコントローラ７と、このプリントデータに基づいて印画紙２にコマ画像に対応する画像を露光するデジタルプリント部５と、露光された印画紙２を現像処理する現像処理部６とを備えている。現像処理部６で現像された印画紙２は、乾燥工程を経て仕上がりプリントとして排出される。
【００１１】
フィルムスキャナー３は、主な構成要素として、照明光学系３１、撮像光学系３２、ＣＣＤセンサーを用いた光電変換部３３を備えている。照明光学系３１は、白色光源としてのハロゲンランプ３１ａ、調光フィルタ３１ｂ、ミラートンネル３１ｃなどから構成され、光源からの光ビームの色分布や強度分布を整えてフィルム１のコマ画像を照射する。フィルム２からの透過光ビームを処理する撮像光学系３２は、図示を省略するが、投射光の方向を変えるミラー、レンズユニット、このレンズユニットを通ってきた光ビームを３つの方向に分光するプリズムなどから構成されている。フィルム搬送機構９によって所定のスキャン速度でフィルム１が送られることにより、フィルム１のコマ画像が副走査方向、つまりフィルムの長手方向にスキャニングされる。
【００１２】
撮像光学系３２によって導かれた光ビームを光電変換する光電変換部３３は、撮像光学系３２のプリズムによって分光された３つの光ビームを別個に受けるため、３つのＣＣＤセンサーを備えており、各ＣＣＤセンサーは多数（例えば５０００個）のＣＣＤ素子が主走査方向、つまりフィルム１の幅方向に配列されたラインセンサーであり、センサー駆動回路により主走査時に電荷蓄積動作や電荷蓄積時間の制御が行われる。各ＣＣＤセンサーの撮像面には、それぞれ光ビームの青色成分、赤色成分、緑色成分のみを通過させるカラーフィルタが設けられており、それぞれ、青色成分、赤色成分、緑色成分のみを光電変換する。それぞれのＣＣＤセンサーから出力される各画素信号はサンプルホールドされ各画素信号が連続した画像信号となり、この各画素信号は所定のビット数（例えば１２ビット）のデジタル信号に変換される。
【００１３】
フィルム１のコマ画像が所定のスキャン位置に位置決めされると、コマ画像の読取処理が開始される。フィルム１の各コマ画像は、フィルム搬送機構９によるフィルム１の送りにより、複数のスリット画像に分割された形で順次光電変換部３３にて読み取られ、生のデジタル画像データとしてコントローラ７に送られる。このような、フィルムスキャナー３の照明光学系３１、撮像光学系３２、光電変換部３３の各制御はコントローラ７によって行われる。
【００１４】
デジタルプリント部５には、本実施の形態では、ＰＬＺＴシャッター方式が採用されている。つまり、印画紙２に画像を露光するための露光手段ＥＭとして露光ヘッド５ａと光源５ｂとが備えられており、露光ヘッド５ａは、ＰＬＺＴ素子からなるシャッタアレイを採用したものである。このＰＬＺＴ素子からなるシャッタアレイは、その材料の有する電気光学効果を利用したもので、各シャッターには光源５ｂから多数の光ファイバを介してＲ、Ｇ、Ｂ各色の光が導入される。このシャッタアレイは印画紙２の幅方向、つまり搬送方向の横断方向に沿って２列に並んだ印画紙２にわたって延びている。各シャッターに所定レベルの電圧が印加されると、光透過状態になり、その電圧の印加が停止されると光遮断状態となる。従って、コントローラ７からプリントデータに基づいて各画素に対応するシャッターに駆動電圧が印加されると、そのシャッターが開いて光源から導入されている色の光が印画紙２に照射される。
つまり、露光される印画紙２の夫々について見ると、印画紙搬送方向と交差する（本実施の形態では直交する）方向において画像の全幅で且つ印画紙搬送方向において画像の幅の一部（本実施の形態では、１画素の幅）について、画像を画素毎に露光量を設定した状態で印画紙２を露光するように構成されている。
【００１５】
光源５ｂには、Ｒ、Ｇ、Ｂの３色の光学フィルタからなる回転フィルタが備えられており、この回転フィルタを回転位相制御することにより、Ｒ、Ｇ、Ｂの内の１つが選択的に光源に対向し、その色のフィルタを介して選択色の光が光ファイバーを通じてシャッターに送られる。デジタルプリント部の方式としては、このＰＬＺＴシャッター方式以外に液晶シャッター方式、蛍光ビーム方式、ＦＯＣＲＴ方式などが知られており、露光仕様に応じて任意に選択することができる。
【００１６】
尚、コントローラ７から送られるプリントデータは、原則として上述のフィルムスキャナー３にて読みとられた画像データに基づくものであるが、コントローラ７に接続される外部画像入力部７ｃから入力された画像データをデジタルプリント部５に送って印画紙２に露光することも可能である。又、フィルムスキャナー３又は外部画像入力部７ｃからコントローラ７に入力された画像データは、印画紙２にプリントした場合に得られるであろうシミュレート画像としてモニター７ａに表示され、操作者は、そのモニター７ａの表示を確認しながら操作卓７ｂから画像の色調等を修正するための指示を入力でき、その修正後の画像データがデジタルプリント部５に送られる。
【００１７】
上述したように、このデジタルプリント部５は、図３に示すように、複数列の、この実施例では２列に並んだ印画紙２のそれぞれを同時に露光できるものである。このため、印画紙搬送機構８は印画紙２を単列で搬送する印画紙供給ライン８Ａと、印画紙２を２列で搬送する露光搬送ライン８Ｂと現像搬送ライン８Ｃとに区分けされ、印画紙供給ライン８Ａと露光搬送ライン８Ｂとの間に、印画紙供給ライン８Ａから順次送られてくる印画紙２を露光搬送ライン８Ｂの各列に振り分ける振り分け装置４が設けられている。
【００１８】
印画紙供給ライン８Ａにはマガジン１０から引き出された印画紙２をプリントサイズに合わせてカットするペーパーカッター１１が設けられており、このペーパーカッター１１の下流側に位置するバックプリント部１２が設けられている。バックプリント部１２は、印画紙２の裏面（非感光面）に、フィルムＩＤやコマ番号、さらにプリントデータ作成時に行われた画像処理を示す補正情報などを印字するものであり、通常ドットインパックトプリンタが用いられている。
又、印画紙供給ライン８Ａには、バックプリント部１２を挟むように配置された、２対の搬送ローラ８１と、マガジン１０から印画紙２を引き出す搬送ローラ８２とを備えており、搬送ローラ８１，８２は夫々図示しないモータに回転駆動される。
【００１９】
露光搬送ライン８Ｂには、印画紙２を露光ヘッド５ａによる露光位置ＥＰに位置させるように搬送する搬送手段ＴＭが設けられており、この搬送手段ＴＭは、振り分け装置４から印画紙２を受け取る受け入れローラ８３と、露光ヘッド５ａによる露光位置ＥＰの印画紙搬送方向両側の露光搬送用の挟持ローラ８４と、二つの挟持ローラ８４の間の配置されて、露光位置ＥＰにおいて露光ヘッド５ａに対する印画紙２の存在位置を規制するための印画紙受け部材８７と、受け入れローラ８３及び挟持ローラ８４を回転駆動するモータ（図示を省略）と、その他適宜図示を省略するガイド部材とが備えられて構成されている。
【００２０】
これらのローラ８３，８４は何れも２列をカバーする幅広ローラであるが、露光搬送用の挟持ローラ８４が単に幅広の駆動側ローラ８４ａと圧着ローラ８４ｂとの対であるのに対し、受け入れローラ８３は、２列をカバーする駆動側ローラ８３ａと、夫々１列分の幅をカバーする右列用の圧着ローラ８３ｂ又は左列用の圧着ローラ８３ｃとの対として構成されている。
受け入れローラ８３の左右の圧着ローラ８３ｂ，８３ｃは、その圧着・解放操作は互いに独立的に行うことができる。つまり、２枚のカット印画紙２を順番に左右の圧着ローラ８３ｂ，８３ｃで受け取り保持し、同時に２枚の印画紙２を露光位置ＥＰへ送り出すことができる。
【００２１】
露光位置ＥＰの印画紙搬送方向両側に配置される挟持ローラ８４は、夫々、図２に示すように、駆動側ローラ８４ａの回転軸心と圧着ローラ８４ｂの回転軸心とを結ぶ直線が印画紙搬送方向と直行する線から角度θだけ、露光位置ＥＰ側に傾いている。従って、搬送方向上流側の挟持ローラ８４の駆動側ローラ８４ａと圧着ローラ８４ｂとが当接して印画紙２を挟持する位置における接線方向すなわち挟持ローラ８４による印画紙２の搬送方向が、印画紙搬送方向上流側の挟持ローラ８４の存在位置よりもさらに搬送上流側で印画紙２を案内する上流側ガイド部材８５の案内面の案内方向から傾いており、その挟持ローラ８４によって印画紙２の進路をわずかに変更している。
【００２２】
同様に、搬送方向下流側の挟持ローラ８４の駆動側ローラ８４ａと圧着ローラ８４ｂとが当接して印画紙２を挟持する位置における接線方向も、二つの挟持ローラ８４の間の露光位置ＥＰに配置される印画紙受け部材８７の印画紙受け面８７ａによる案内方向から傾いており、その挟持ローラ８４によって印画紙２の進路をわずかに変更している。
この傾きによって、二つの挟持ローラ８４に挟まれる範囲で、搬送される印画紙２が印画紙受け部材８７に押し付けられる。
尚、上記角度θは、５〜１５度程度が望ましい。
【００２３】
上述のように、二つの挟持ローラ８４によって、印画紙２の進路が変更されるのであるが、駆動側ローラ８４ａと圧着ローラ８４ｂとが当接して印画紙２を挟持する位置が、印画紙受け部材８７の印画紙受け面８７ａに近接する状態で配置され、平面に形成された印画紙受け面８７ａと、上流側ガイド部材８５の案内面と、印画紙搬送方向下流側の挟持ローラ８４の存在位置よりもさらに搬送下流側で印画紙２を案内する下流側ガイド部材８６の案内面とが、互いに平行で且つ略面一となるように配置されているので、各挟持ローラ８４の印画紙搬送方向両側における印画紙２の搬送姿勢が略直線状となる。
【００２４】
印画紙供給ライン８Ａと露光搬送ライン８Ｂとの間に配置される振り分け装置４は、図４乃至図６に示すように、垂直に延びた板状の保持体２０、保持体２０の表側の表面上に上下方向に移動可能に支持された一対の搬送体４０、および、各搬送体４０上に水平方向に移動可能に支持された挟持搬送ユニット６０を備えている。
保持体２０の裏側と本体１９の間には、水平に配置されたレール２１ａとボール２１ｂで構成されたスライド機構２１が設けられているので、点検等の目的で、振り分け装置４の全体を保持体２０ごと本体１９から水平方向外側に引き出すことができる。
【００２５】
搬送体４０については、図５に示されるように、保持体２０の中心軸Ｙを挟んで振り分け装置４の前記引き出し方向に沿って一対の搬送体４０が並設されている。挟持搬送ユニット６０についても同様に、保持体２０の中心軸Ｙを挟んで振り分け装置４の前記引き出し方向に沿って一対の挟持搬送ユニット６０が並設されている。
図５及び図６に示されるように、各搬送体４０は、保持体２０上に配置されたモータＭ２と、モータＭ２の回転軸に巻き回された無端状の垂直駆動ベルト２２によって、保持体２０上に配設された垂直ガイドレール２４に沿って保持体２０の上端と下端の間を上下方向に往復移動することができる。また、保持体２０上には、前記往復移動に基づく搬送体４０の垂直ガイドレール２４上における位置を検出するための第２センサー７４が設けられている。
【００２６】
一方、各挟持搬送ユニット６０は、搬送体４０上に配置されたモータＭ３と、モータＭ３の回転軸に巻き回された無端状の水平駆動ベルト２８によって、保持体２０上に配設された水平ガイドレール３０に沿って水平に往復移動することができる。各挟持搬送ユニット６０は、水平ガイドレール３０上を往復移動可能に支持された摺動体６０ａと、印画紙２を挟持するために摺動体６０ａ上に回転可能に支持された一対の挟持ローラ４１とを有する。また、搬送体４０上には、前記往復移動に基づく摺動体６０ａの水平ガイドレール３０上における位置を検出するための第１センサー７２が設けられている。
挟持ローラ４１の内、一方の挟持ローラ４１ｂは、摺動体６０ａ上に回転自在に支持された伝導軸３６の一端に一体回転可能に連結されており、伝導軸３６の他部位には入力ギヤ３４がやはり一体回転可能に連結されている。他方の挟持ローラ４１ａは遊転自在に支持されている。なお、入力ギヤ３４と挟持ローラ４１ｂの間には、ワンウェイクラッチが介装されている。
【００２７】
より具体的には、図６によく示されるように、遊転自在な挟持ローラ４１ａは、伝導軸３６上に揺動可能に支持された揺動アーム３８上に回転自在に支持されており、この揺動アーム３８上には他に、印画紙２を挟持ローラ４１の間に案内するための一対のガイド板４２ａ，４２ｂが固定されており、その結果、挟持ローラ４１は印画紙２を正しい姿勢で挟持することができる。そして、揺動アーム３８は、挟持ローラ４１が水平に並び、ガイド板４２ａ，４２ｂが垂直（保持体２０の面と平行）に延びる搬送姿勢と、挟持ローラ４１が垂直に並び、ガイド板４２ａ，４２ｂが水平に延びる受入れ姿勢の間で揺動可能である。揺動アーム３８は更に、揺動アーム３８と摺動体６０ａの間に介装された図示しない捻りコイルばねの復元力によって、前記搬送姿勢に付勢されている。一方、保持体２０からは、一対の板状操作部材６２が保持体２０と平行に延びており、揺動アーム３８は、保持体２０に対する摺動体６０ａの位置に応じて、板状操作部材６２と接当して操作され、捻りコイルばねの復元力に抗して前記受入れ姿勢に保持される。
印画紙供給ライン８Ａにおける搬送横幅方向での中心位置は、図５における中心軸Ｙに一致させてあり、又、印画紙供給ライン８Ａにおける印画紙の搬送高さと、挟持ローラ４１が下降して板状操作部材６２の作用に上記受け入れ姿勢となったときのガイド板４２ａ，４２ｂの高さとを一致させてある。
【００２８】
次に、振り分け装置４の動きについて説明する。
図７（ａ）は、初期状態を示している。ここでは、搬送体４０のうちの右側の搬送体４０Ｒは保持体２０の最下端まで下がった位置にあり、しかも、右側の搬送体４０Ｒの挟持搬送ユニット６０Ｒは、搬送体４０Ｒ上の左端にある。そして、右の挟持搬送ユニット６０Ｒの入力ギヤ３４は、印画紙供給ライン８Ａの搬送方向下流端側に備えられている搬送ローラ８１の回転軸に中間ギヤを介してギヤ連結された出力ギヤ５４と係合状態にある。
一方、搬送体４０のうちの左側の搬送体４０Ｌは保持体２０の最下端よりも若干上方のホームポジションにあり、左側の搬送体４０Ｌの挟持搬送ユニット６０Ｌは、搬送体４０Ｌ上の左端位置にある。
【００２９】
この時、右側の挟持搬送ユニット６０Ｒ上の挟持ローラ４１は、最も中心軸Ｙに近づき、印画紙供給ライン８Ａから送り出された水平姿勢の印画紙２を挟持し始めている。前述したように、この搬送体４０Ｒが下端にある位置では、揺動アーム３８は、板状操作部材６２との接当によって、前記受入れ姿勢、言い換えれば、挟持ローラ４１が上下に並んだ状態に操作保持されている。
印画紙供給ライン８Ａの搬送ローラ８１が図示しないモータにて回転駆動されると、印画紙３はその搬送ローラ８１にて搬送されると共に、中間ギヤ５２，出力ギヤ５４及び入力ギヤを介して搬送ローラ８１と連動する挟持ローラ４１にて搬送される。この搬送は、印画紙２が印画紙供給ライン８Ａから完全に離れて、挟持ローラ４１にてその印画紙２の搬送方向後端寄りの位置が挟持される状態となったのを図示しないセンサが検出したときに、図７（ｂ）搬送体４０Ｒが上昇を開始することによって出力ギヤ５４と入力ギヤ３４との歯合が解除されて停止される。
【００３０】
搬送体４０Ｒは、上述のようにモータＭ２の作動により上昇し、これに連動して、挟持搬送ユニット６０Ｒが、モータＭ３の作動により搬送体４０Ｒ上を紙面の右側に向かって移動を開始する。この搬送体４０Ｒの上方移動の初期に、揺動アーム３８は、板状操作部材６２との接当から解放されるので、前記搬送姿勢に切り替えられる。
【００３１】
図８（ａ）は、搬送体４０Ｒが保持体２０の上端位置に到達し、同時に、挟持搬送ユニット６０Ｒが搬送体４０Ｒ上の右端位置に到達した状態を示している。更に、図８（ｂ）では、挟持搬送ユニット６０Ｒの挟持ローラ４１が右側の受け入れローラ８３のうちの右列用の圧着ローラ８３ｂに印画紙２を搬出し、受け入れローラ８３これをデジタルプリント部５へ送る。
この図８（ａ）の状態では、既に左側の挟持搬送ユニット６０Ｌの挟持ローラ４１が前記受け渡し部にて、次の印画紙２を挟持開始しているのが判る。
図８（ｂ）では、右側の挟持搬送ユニット６０Ｒの挟持ローラ４１から受け入れローラ８３への印画紙２の受け渡しが完了しようとしており、同時に、左側の挟持搬送ユニット６０Ｌは、次の印画紙２を受け入れローラ８３に向かって搬送開始している。
【００３２】
図９（ａ）に示されるように、左側の挟持搬送ユニット６０Ｌの挟持ローラ４１が次の印画紙２を左側の受け入れローラ８３に受け渡し開始するタイミングでは、右側の挟持搬送ユニット６０Ｒは再びさらに次の印画紙２を挟持搬送するために印画紙供給ライン８Ａから印画紙２を受け取るための位置に向かって搬送され始め、図９（ｂ）に示されるように、その受け取るための位置に到着するより前に、挟持搬送ユニット６０Ｒが搬送体４０Ｒ上の左端位置まで移動し、その後、印画紙供給ライン８Ａから印画紙２を受け取るための位置に到着する。すなわち、各挟持搬送ユニット６０Ｒ，Ｌの入力ギヤ３４の、前記受け渡し部の各出力ギヤ５４との係合操作は、これらギヤの周方向から行われる。
このように、左右の挟持搬送ユニット６０Ｌ，Ｒが交互に、上下に往復することによって、印画紙供給ライン８Ａから一列状に排出される印画紙２を、左右２列の露光搬送ライン８Ｂに交互に振り分け供給する。
【００３３】
尚、上記図７乃至図９にて示す動作説明では、露光搬送ライン８Ｂ  において、振り分け装置４から受け取った印画紙２をそのまま直ちに搬送するものとしているので、露光搬送ライン８Ｂ  の左右の搬送列で搬送される一対の印画紙２が搬送方向で若干位置ずれしているが、上述のように、２枚のカット印画紙２を順番に左右の圧着ローラ８３ｂ，８３ｃで受け取り保持し、同時に２枚の印画紙２を露光位置ＥＰへ送り出すことができるので、この一対の印画紙２が搬送方向で位置ずれのない状態で搬送するようにしても良い。
【００３４】
〔別実施形態〕
以下、本発明の別実施形態を列記する。
▲１▼  上記実施の形態では、露光位置ＥＰに近くにおいて印画紙２の存在位置を規制する印画紙受け部材８７は、それの印画紙受け面８７ａが平面となるように形成されているが、図１０に示すように、印画紙受け部材８７の印画紙受け面８７ａを、印画紙搬送方向視で搬送経路横幅方向に直線状で且つ印画紙搬送方向と直交する方向視で円弧状となる形状に形成しても良い。
この場合では、露光用の挟持ローラ８４の駆動側ローラ８４ａと圧着ローラ８４ｂとが当接して印画紙２を挟持する位置における接線方向すなわち挟持ローラ８４による印画紙２の搬送方向は、印画紙受け面８７の印画紙搬送方向端部における接線方向と一致させておけば良い。すなわち、図１０に示す別実施形態では、露光用の挟持ローラ８４自体ではなく、印画紙受け部材８７自体が、印画紙２を印画紙受け部材８７に押し付けるように、印画紙２の進路を変更する機能を有する。
【００３５】
▲２▼  上記実施の形態では、露光手段ＥＭは、いわゆるデジタル露光式のものを例示しているが、フィルムの画像を投影露光する投影露光式に構成しても良い。
【図面の簡単な説明】
【図１】本発明の実施の形態にかかる画像プリント装置の概略ブロック構成図
【図２】本発明の実施の形態にかかる要部拡大図
【図３】本発明の実施の形態にかかる要部斜視図
【図４】本発明の実施の形態にかかる要部側面図
【図５】本発明の実施の形態にかかる振り分け装置の概略構成図
【図６】本発明の実施の形態にかかる振り分け装置の要部斜視図
【図７】本発明の実施の形態にかかる振り分け装置の動作説明図
【図８】本発明の実施の形態にかかる振り分け装置の動作説明図
【図９】本発明の実施の形態にかかる振り分け装置の動作説明図
【図１０】本発明の別実施形態にかかる要部拡大図
【符号の説明】
ＥＭ  露光手段
ＴＭ  搬送手段
２    印画紙
８４  挟持ローラ
８７  印画紙受け部材
８７ａ  印画紙受け面
【図１】
0003587295.tif 000002
【図２】
0003587295.tif 000003
【図３】
0003587295.tif 000004
【図４】
0003587295.tif 000005
【図５】
0003587295.tif 000006
【図６】
0003587295.tif 000007
【図７】
0003587295.tif 000008
【図８】
0003587295.tif 000009
【図９】
0003587295.tif 000010
【図１０】
0003587295.tif 000011